(57)【要約】【課題】  飲料供給装置の飲料供給動作を停止させる場合において、バルブへの飲料の通過を確実に止めることが可能な飲料供給装置を提供する。【解決手段】  操作したときのみ閉じる販売設定スイッチと、時刻を計時するタイマと、販売設定スイッチが閉じたときに発生する所定の論理レベルのスイッチ操作信号に基づいて、一方の論理レベルの制御信号を出力し、タイマが予め定められた時刻を計時したときの計時出力に基づいて、他方の論理レベルの制御信号を出力する制御部と、一方の論理レベルの制御信号に基づいて、所定電圧とバルブ用リレーコイルとの間を励磁に伴って接続した状態に保持し、他方の論理レベルの制御信号に基づいて、所定電圧とバルブ用リレーコイルとの間を遮断するバルブ制御用リレースイッチと、を備えたことを特徴とする。【選択図】    図１
2005293277.tif 000002
【特許請求の範囲】
【請求項１】
配管内の飲料を通過させるバルブと、前記バルブと接続されるバルブ用リレースイッチと、所定電圧と接続されるバルブ用リレーコイルと、前記バルブ用リレーコイルが励磁されたとき、前記バルブ用リレースイッチが閉じて前記飲料が前記バルブを通過可能となる飲料供給装置であって、
操作したときのみ閉じる販売設定スイッチと、
時刻を計時するタイマと、
前記販売設定スイッチが閉じたときに発生する所定の論理レベルのスイッチ操作信号に基づいて、一方の論理レベルの制御信号を出力し、前記タイマが予め定められた時刻を計時したときの計時出力に基づいて、他方の論理レベルの制御信号を出力する制御部と、
一方の論理レベルの前記制御信号に基づいて、前記所定電圧と前記バルブ用リレーコイルとの間を励磁に伴って接続した状態に保持し、他方の論理レベルの前記制御信号に基づいて、前記所定電圧と前記バルブ用リレーコイルとの間を遮断するバルブ制御用リレースイッチと、
を備えたことを特徴とする飲料供給装置。
【請求項２】
配管内の飲料を通過させるバルブと、前記バルブと接続されるバルブ用リレースイッチと、所定電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、
操作したときのみ閉じる販売設定スイッチと、
前記販売設定スイッチが閉じたときに一方の論理レベルとなるスイッチ操作信号が入力され、当該スイッチ操作信号が入力される毎に一方の論理レベルまたは他方の論理レベルの制御信号を交互に出力する制御部と、
一方の論理レベルの前記制御信号に基づいて、前記所定電圧と前記バルブ用リレーコイルとの間を励磁に伴って接続した状態に保持し、他方の論理レベルの前記制御信号に基づいて、前記所定電圧と前記バルブ用リレーコイルとの間を遮断するバルブ制御用リレースイッチと、
を備えたことを特徴とする飲料供給装置。
【請求項３】
配管内の飲料を通過させるバルブと、前記バルブと接続されるバルブ用リレースイッチと、第１電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、
操作したときのみ閉じる販売設定スイッチと、
前記第１電圧と第２電圧（＜前記第１電圧）との間で前記販売設定スイッチと直列接続され、励磁に伴って開く第１リレースイッチと、
前記販売設定スイッチと並列接続され、励磁に伴って閉じる第２リレースイッチと、
前記第１電圧と前記バルブ用リレーコイルとの間に接続され、励磁に伴って前記第２リレースイッチと同じタイミングで閉じる第３リレースイッチと、
時刻を計時するタイマと、
前記販売設定スイッチが閉じたときに一方の論理レベルとなるスイッチ操作信号が入力される制御部と、
を備え、
前記第２リレースイッチおよび前記第３リレースイッチが開いている状態から、前記販売設定スイッチが閉じた場合、前記制御部に関わらず、前記第２リレースイッチおよび前記第３リレースイッチが閉じて、前記飲料は前記バルブを通過となり、
前記第２リレースイッチおよび前記第３リレースイッチが閉じている状態において、前記タイマが予め定められた時刻を計時したことを検出した前記制御部の制御信号に基づいて前記第１リレースイッチが励磁に伴って開くとともに、前記第２リレースイッチおよび前記第３リレースイッチが開いて、前記飲料は前記バルブを通過不可能となる、
ことを特徴とする飲料供給装置。
【請求項４】
配管内の飲料を通過させるバルブと、前記バルブと接続されるバルブ用リレースイッチと、第１電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、
操作したときのみ閉じる販売設定スイッチと、
前記第１電圧と第２電圧（＜前記第１電圧）との間で前記販売設定スイッチと直列接続され、励磁に伴って開く第１リレースイッチと、
前記販売設定スイッチと並列接続され、励磁に伴って閉じる第２リレースイッチと、
前記第１電圧と前記バルブ用リレーコイルとの間に接続され、励磁に伴って前記第２リレースイッチと同じタイミングで閉じる第３リレースイッチと、
前記販売設定スイッチが閉じたときに一方の論理レベルとなるスイッチ操作信号が入力される制御部と、を備え、
前記第２リレースイッチおよび前記第３リレースイッチが開いている状態から、前記販売設定スイッチが閉じた場合、前記制御部に関わらず、前記第２リレースイッチおよび前記第３リレースイッチが閉じて、前記飲料は前記バルブを通過可能となり、
前記第２リレースイッチおよび前記第３リレースイッチが閉じている状態から、前記販売設定スイッチが閉じた場合、前記スイッチ操作信号が入力された前記制御部の制御信号に基づいて、前記第１リレースイッチが励磁に伴って開くとともに前記第２リレースイッチおよび前記第３リレースイッチが開いて、前記飲料は前記バルブを通過不可能となる、
ことを特徴とする飲料供給装置。
【請求項５】
前記制御部に対する前記スイッチ操作信号の入力を計数するカウンタを備え、
前記カウンタは、前記第２リレースイッチおよび前記第３リレースイッチが開いているときの前記スイッチ操作信号から計数を開始し、
前記制御部は、前記カウンタが偶数回目の前記スイッチ操作信号を計数したとき、励磁に伴って前記第１リレースイッチを開くための制御信号を出力する、
ことを特徴とする請求項１に記載の飲料供給装置。
【請求項６】
配管内の飲料を通過させるバルブと、前記バルブと接続されるバルブ用リレースイッチと、第１電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、
操作したときのみ閉じる販売用スイッチと、
前記第１電圧と第２電圧（＜前記第１電圧）との間で前記販売用スイッチと直列接続され、励磁に伴って開く第１リレースイッチと、
操作したときのみ閉じ、前記第１リレースイッチを励磁に伴って開くための販売停止用スイッチと、
前記販売用スイッチと並列接続され、励磁に伴って閉じる第２リレースイッチと、
前記第１電圧と前記バルブ用リレーコイルとの間に接続され、励磁に伴って第２リレースイッチと同じタイミングで閉じる第３リレースイッチと、を備え、
前記第２リレースイッチおよび前記第３リレースイッチが開いている状態から、前記販売用スイッチが閉じた場合、前記第２リレースイッチおよび前記第３リレースイッチが閉じて、前記飲料は前記バルブを通過可能となり、
前記第２リレースイッチおよび前記第３リレースイッチが閉じている状態から、前記販売停止用スイッチが閉じた場合、前記第１リレースイッチが励磁に伴って開くとともに前記第２リレースイッチおよび前記第３リレースイッチが開いて、前記飲料は前記バルブを通過不可能となる、
ことを特徴とする飲料供給装置。
【請求項７】
配管内の飲料を通過させるバルブと、前記バルブと接続されるバルブ用リレースイッチと、所定電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、
前記所定電圧と前記バルブ用リレーコイルとの間に接続され、励磁に伴って閉じるバルブ制御用リレースイッチと、
人体を検出する人体センサと、
前記人体センサが人体を検出していない継続期間を計数する計数部と、
前記計数部の計数する継続期間が予め定められた期間を超えたとき、励磁の解除に伴って前記バルブ制御用リレースイッチを開くための制御信号を出力する制御部と、
を備えたことを特徴とする飲料供給装置。
【発明の詳細な説明】
【技術分野】
【０００１】
本発明は、飲料供給装置に関する。
【背景技術】
【０００２】
一般に、飲料供給装置（例えば飲料ディスペンサ、カップ式自動販売機）は、飲料の原料（濃縮液体原料、粉末原料など）を水や炭酸水などの希釈液により所定の比率で希釈して飲料を調理している。例えば飲料ディスペンサでは、当該所定の比率をより適切なものとするために、原料供給ラインと希釈液供給ラインとに、電気的に開閉するバルブとともに流量調整弁（例えばフローレギュレータ、流量計）が設けられ、原料や希釈液の流量が管理されつつカップ内で混合されていた。
【０００３】
図１２に飲料供給装置の原料供給ラインおよび希釈液供給ラインの一例を示す。水道水は、配管Ｐ１をとおり水フィルタ１１および水入口バルブ１２を介して第１の分配器１３Ａに供給される。第１の分配器１３Ａに供給された水道水は、ここで、水槽１４側と水槽１４内の水槽水中に配置されたコイルユニット１５側との２つに分岐する。水槽１４側に供給された水道水は、配管Ｐ２をとおり水道給水バルブ１６を介して水槽１４に流入する。コイルユニット１５側に供給された水道水は、配管Ｐ３を通り加圧ポンプ１７で加圧され、コイルユニット１５を介して第２の分配器１３Ｂに供給される。第２の分配器１３Ｂに供給された水道水は、ここで、マルチバルブ１８側と、水槽１４の冷却水中に配置され炭酸水を製造するカーボネータ１９側と、一方のべリスタポンプ２０Ａ側と、他方のべリスタポンプ２０Ｂ側との４つに分岐する。マルチバルブ１８側に供給された水は、配管Ｐ４を通り流量調整弁２１および冷水バルブ２２を介してマルチバルブ１８に流入し、冷水としてカップＣに吐出される。カーボネータ１９側に供給された水は配管Ｐ５を通りカーボネータ給水バルブ２３を介してカーボネータ１９に供給され、炭酸ガスボンベ２４からの炭酸ガスを取り込んで炭酸水となり、当該炭酸水は、流量調整弁２５、コイルユニット１５および炭酸水バルブ２６を介してマルチバルブ１８に流入し、カップＣに吐出される。ベリスタポンプ２０Ａ、２０Ｂ側に供給された水は、配管Ｐ６、Ｐ７を通り流量調整弁２７Ａ、２７Ｂを介してベリスタポンプ２０Ａ、２０Ｂ内の希釈水バルブ２０ａ、２０ｂを介して希釈水としてカップＣに吐出される。一方、炭酸ガスボンベ２４からの炭酸ガスによって原料タンク２８Ａ、２８Ｂ、２８Ｃ、２８Ｄから圧送された原料Ｉ、II、III、IVは、コイルユニット１５および原料バルブ２９Ａ、２９Ｂ、２９Ｃ、２９Ｄを介してマルチバルブ１８に流入し、カップＣに吐出される。
【０００４】
このように原料供給ラインや希釈液供給ラインには、上述のような各バルブが設けられており、飲料供給装置を制御するために設けられる制御部からの電気信号によって、対応するバルブの開閉を行っている。具体的には、各バルブには電磁リレーのリレースイッチ（励磁してしないとき開く）が接続されており、制御部には、当該電磁リレーのリレースイッチに対応する電磁リレーのコイル（以下、リレーコイルという）が接続されている。そして、開店する際に、例えば飲料供給装置の管理者が、飲料供給装置の飲料供給を可能とするスイッチを入れ、制御部からの出力信号が供給されることによって、リレーコイルに所定の電圧が印加され、当該リレーコイルは励磁される。そして、当該リレーコイルに対応するリレースイッチが、例えば閉じたり、切り替わったりすることにより、バルブに電圧が印加（例えば１００Ｖ）されることとなる。よって当該バルブの電気的制御が可能となり、制御部からのバルブを開く信号や、バルブを閉じる信号によって、バルブを開いたり、閉じたりすることができる。
【０００５】
例えば、閉店する際には、次の開店時から直ぐに飲料供給装置による飲料の供給を可能とすべく、飲料供給装置全体の電源を切ることは行われない。そのかわり上述したスイッチを切ることにより、リレーコイルへの電圧の印加を止め、励磁状態を解除する。そして、当該リレーコイルに対応するリレースイッチが開き、バルブに電圧が印加しないようにしている。つまり、バルブを閉じた状態とすることにより、希釈液や原料の漏れ（以下、水漏れという）を防止している。さらに、例えば水槽１４の水を冷却するための回路への電圧は印加され続けているので、次の開店時には、冷却水を直ぐに供給することが可能となる。
【０００６】
上述のように、開店や閉店時における飲料供給装置の飲料供給を可能とするか否かは、飲料供給装置の管理者などによって、スイッチ等を入れたり、切ったりすることにより行われている。
【特許文献１】特開平１０−２０３５９５号公報
【発明の開示】
【発明が解決しようとする課題】
【０００７】
そのため飲料供給装置の管理者は、閉店する際に飲料供給装置の動作を停止させる場合には、当該スイッチを切らなければならない、という煩わしさがある。また、閉店する際、飲料供給装置の管理者が当該スイッチを切るのを忘れてしまう場合もあった。さらに、飲料供給装置の管理者が、当該スイッチを切っても、当該スイッチの故障により、バルブへの電圧が遮断されず、バルブが開状態のままとなってしまう可能性があった。そのため、制御部の異常などにより、当該制御部がバルブへの飲料通過を許可する信号を送信し、水漏れ事故が発生してしまうことがあった。また、水漏れが発生した飲料供給装置の近傍に人がいない場合、水漏れに対する処理が遅れ、被害が多大なものとなる恐れもあった。
【０００８】
そこで、本発明では、飲料供給装置の飲料供給動作を停止させる場合において、バルブへの飲料の通過を確実に止めることが可能な飲料供給装置を提供することを目的とする。
【課題を解決するための手段】
【０００９】
前記課題を解決するための発明は、配管内の飲料を通過させるバルブと、前記バルブと接続されるバルブ用リレースイッチと、所定電圧と接続されるバルブ用リレーコイルと、前記バルブ用リレーコイルが励磁されたとき、前記バルブ用リレースイッチが閉じて前記飲料が前記バルブを通過可能となる飲料供給装置であって、操作したときのみ閉じる販売設定スイッチと、時刻を計時するタイマと、前記販売設定スイッチが閉じたときに発生する所定の論理レベルのスイッチ操作信号に基づいて、一方の論理レベルの制御信号を出力し、前記タイマが予め定められた時刻を計時したときの計時出力に基づいて、他方の論理レベルの制御信号を出力する制御部と、一方の論理レベルの前記制御信号に基づいて、前記所定電圧と前記バルブ用リレーコイルとの間を励磁に伴って接続した状態に保持し、他方の論理レベルの前記制御信号に基づいて、前記所定電圧と前記バルブ用リレーコイルとの間を遮断するバルブ制御用リレースイッチと、を備えたことを特徴とする。  
この飲料供給装置によれば、予めタイマに定められた時刻において、他方の論理レベルの制御信号に基づいて、バルブ用リレーコイルの励磁が解除され、飲料がバルブを通過することが不可能となる。
【００１０】
配管内の飲料を通過させるバルブと、前記バルブと接続されるバルブ用リレースイッチと、所定電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、操作したときのみ閉じる販売設定スイッチと、前記販売設定スイッチが閉じたときに一方の論理レベルとなるスイッチ操作信号が入力され、当該スイッチ操作信号が入力される毎に一方の論理レベルまたは他方の論理レベルの制御信号を交互に出力する制御部と、一方の論理レベルの前記制御信号に基づいて、前記所定電圧と前記バルブ用リレーコイルとの間を励磁に伴って接続した状態に保持し、他方の論理レベルの前記制御信号に基づいて、前記所定電圧と前記バルブ用リレーコイルとの間を遮断するバルブ制御用リレースイッチと、を備えたことを特徴とする。  
この飲料供給装置によれば、他方の論理レベルの制御信号に基づいて、バルブ用リレーコイルの励磁が解除され、飲料がバルブを通過することが不可能となる。
【００１１】
配管内の飲料を通過させるバルブと、前記バルブと接続されるバルブ用リレースイッチと、第１電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、操作したときのみ閉じる販売設定スイッチと、前記第１電圧と第２電圧（＜前記第１電圧）との間で前記販売設定スイッチと直列接続され、励磁に伴って開く第１リレースイッチと、前記販売設定スイッチと並列接続され、励磁に伴って閉じる第２リレースイッチと、前記第１電圧と前記バルブ用リレーコイルとの間に接続され、励磁に伴って前記第２リレースイッチと同じタイミングで閉じる第３リレースイッチと、時刻を計時するタイマと、前記販売設定スイッチが閉じたときに一方の論理レベルとなるスイッチ操作信号が入力される制御部と、を備え、前記第２リレースイッチおよび前記第３リレースイッチが開いている状態から、前記販売設定スイッチが閉じた場合、前記制御部に関わらず、前記第２リレースイッチおよび前記第３リレースイッチが閉じて、前記飲料は前記バルブを通過となり、前記第２リレースイッチおよび前記第３リレースイッチが閉じている状態において、前記タイマが予め定められた時刻を計時したことを検出した前記制御部の制御信号に基づいて前記第１リレースイッチが励磁に伴って開くとともに、前記第２リレースイッチおよび前記第３リレースイッチが開いて、前記飲料は前記バルブを通過不可能となる、ことを特徴とする。  
この飲料供給装置によれば、予めタイマに定められた時刻において、第２リレースイッチおよび第３リレースイッチが開くことにより、バルブ用リレーコイルの励磁が解除され、飲料がバルブを通過することが不可能となる。
【００１２】
配管内の飲料を通過させるバルブと、前記バルブと接続されるバルブ用リレースイッチと、第１電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、操作したときのみ閉じる販売設定スイッチと、前記第１電圧と第２電圧（＜前記第１電圧）との間で前記販売設定スイッチと直列接続され、励磁に伴って開く第１リレースイッチと、前記販売設定スイッチと並列接続され、励磁に伴って閉じる第２リレースイッチと、前記第１電圧と前記バルブ用リレーコイルとの間に接続され、励磁に伴って前記第２リレースイッチと同じタイミングで閉じる第３リレースイッチと、前記販売設定スイッチが閉じたときに一方の論理レベルとなるスイッチ操作信号が入力される制御部と、を備え、前記第２リレースイッチおよび前記第３リレースイッチが開いている状態から、前記販売設定スイッチが閉じた場合、前記制御部に関わらず、前記第２リレースイッチおよび前記第３リレースイッチが閉じて、前記飲料は前記バルブを通過可能となり、前記第２リレースイッチおよび前記第３リレースイッチが閉じている状態から、前記販売設定スイッチが閉じた場合、前記スイッチ操作信号が入力された前記制御部の制御信号に基づいて、前記第１リレースイッチが励磁に伴って開くとともに前記第２リレースイッチおよび前記第３リレースイッチが開いて、前記飲料は前記バルブを通過不可能となる、ことを特徴とする。  
この飲料供給装置によれば、第２リレースイッチおよび第３リレースイッチが開くことにより、バルブ用リレーコイルの励磁が解除され、飲料がバルブを通過することが不可能となる。
【００１３】
また、かかる飲料供給装置において、前記制御部に対する前記スイッチ操作信号の入力を計数するカウンタを備え、前記カウンタは、前記第２リレースイッチおよび前記第３リレースイッチが開いているときの前記スイッチ操作信号から計数を開始し、前記制御部は、前記カウンタが偶数回目の前記スイッチ操作信号を計数したとき、励磁に伴って前記第１リレースイッチを開くための制御信号を出力する、ことを特徴とする。  
この飲料供給装置によれば、第２リレースイッチおよび第３リレースイッチが開くことがより確実となり、バルブ用リレーコイルの励磁が解除され、飲料がバルブを通過することが不可能となる。
【００１４】
配管内の飲料を通過させるバルブと、前記バルブと接続されるバルブ用リレースイッチと、第１電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、操作したときのみ閉じる販売用スイッチと、前記第１電圧と第２電圧（＜前記第１電圧）との間で前記販売用スイッチと直列接続され、励磁に伴って開く第１リレースイッチと、操作したときのみ閉じ、前記第１リレースイッチを励磁に伴って開くための販売停止用スイッチと、前記販売用スイッチと並列接続され、励磁に伴って閉じる第２リレースイッチと、前記第１電圧と前記バルブ用リレーコイルとの間に接続され、励磁に伴って第２リレースイッチと同じタイミングで閉じる第３リレースイッチと、を備え、前記第２リレースイッチおよび前記第３リレースイッチが開いている状態から、前記販売用スイッチが閉じた場合、前記第２リレースイッチおよび前記第３リレースイッチが閉じて、前記飲料は前記バルブを通過可能となり、前記第２リレースイッチおよび前記第３リレースイッチが閉じている状態から、前記販売停止用スイッチが閉じた場合、前記第１リレースイッチが励磁に伴って開くとともに前記第２リレースイッチおよび前記第３リレースイッチが開いて、前記飲料は前記バルブを通過不可能となる、ことを特徴とする。  
この飲料供給装置によれば、第２リレースイッチおよび第３リレースイッチが開くことにより、バルブ用リレーコイルの励磁が解除され、飲料がバルブを通過することが不可能となる。
【００１５】
配管内の飲料を通過させるバルブと、前記バルブと接続されるバルブ用リレースイッチと、所定電圧と接続されるバルブ用リレーコイルと、を有し、前記バルブ用リレーコイルが励磁されたとき、前記バルブ用リレースイッチが閉じて前記飲料が前記バルブを通過可能となる飲料供給装置であって、前記所定電圧と前記バルブ用リレーコイルとの間に接続され、励磁に伴って閉じるバルブ制御用リレースイッチと、人体を検出する人体センサと、前記人体センサが人体を検出していない継続期間を計数する計数部と、前記計数部の計数する継続期間が予め定められた期間を超えたとき、励磁の解除に伴って前記バルブ制御用リレースイッチを開くための制御信号を出力する制御部と、を備えたことを特徴とする。  
この飲料供給装置によれば、近傍に人がいない期間が、予め定められた期間を超えたとき、第２リレースイッチおよび第３リレースイッチが開くことにより、バルブ用リレーコイルの励磁が解除され、飲料がバルブを通過することが不可能となる。
【発明の効果】
【００１６】
本発明によれば、飲料供給装置の飲料供給動作を停止させる場合において、バルブへの飲料の通過を確実に止めることが可能な飲料供給装置を提供することが可能となる。
【発明を実施するための最良の形態】
【００１７】
本明細書および添付図面の記載により、少なくとも以下の事項が明らかとなる。  
なお、各実施形態において、飲料供給装置は、例えば店舗等に設置される飲料ディスペンサであることとする。
【００１８】
＜＜第１の実施形態＞＞
＝＝＝飲料ディスペンサの概略構成＝＝＝
図１、図１２を参照しつつ、本発明を適用する飲料ディスペンサの概略構成について説明する。図１は、飲料ディスペンサの本実施形態の概略構成を示す回路ブロック図である。
【００１９】
飲料ディスペンサは、マイクロコンピューター３３Ａ（制御部）、後述する販売制御部、図１２に示す販売機構部により飲料の供給動作が実行される。
【００２０】
マイクロコンピューター３３Ａは、販売制御部を介して販売機構部を制御するものである。具体的には、マイクロコンピューター３３Ａは、ＣＰＵ１、ＲＯＭ２、ＲＡＭ３、タイマ５を有する。ＣＰＵ１は、ＲＯＭ２のアドレスを指定するアドレスカウンタ（不図示）、ＲＯＭ２から読み出されるプログラムデータを解読するプログラムロジックアレイ（不図示）、論理演算を行う演算論理ユニット（不図示）、演算データを一時格納するレジスタ（不図示）などを有する。ＲＯＭ２は、販売機構部を制御するためのプログラムデータが予め記憶されている。また、飲料ディスペンサの情報（例えば、調理情報など）が記憶されている。なお、ＲＯＭ２は、データを製造工程で焼付け固定するマスクＲＯＭ、データを紫外線消去することによりデータを繰り返し書き込み読み出しできるＥＰＲＯＭ、データを電気消去することによりデータを繰り返し書き込み読み出しできるＥＥＰＲＯＭ（フラッシュＲＯＭを含む）などの不揮発性記憶素子で構成される。ＲＡＭ３は、ＣＰＵ１で論理演算される作業データ、販売制御部から送信される各種データ（例えば売上データ情報など）の書き込みまたは読み出しを行うものである。なお、ＲＡＭ３は、前述のＥＥＰＲＯＭで構成されてもよいし、ＳＲＡＭなどの揮発性記憶素子で構成されてもよい。ＲＡＭ３がＳＲＡＭなどの揮発性記憶素子で構成される場合、ＲＡＭ３内のデータは、バックアップ電源にて保持される。タイマ５は、時刻を計時するものである。なお、後述するように、ＣＰＵ１は、飲料ディスペンサの飲料供給の停止時刻が設定機８で設定されると、当該停止時刻をＲＡＭ３に記憶させる。そして、ＣＰＵ１は、タイマ５が計時する時刻と停止時刻を比較する。また、マイクロコンピューター３３Ａは、販売ボタン４からの押下信号を受信すると、後述するバルブ１２を開いて飲料の調理を行うべく、販売機構部に制御信号を送信する。なお本実施形態においては、説明の便宜上、販売ボタン４がバルブ１２と対応すべく設けられているが、販売ボタンは、飲料ディスペンサが供給する飲料の種類の数に応じて設けられる。
【００２１】
販売機構部は、マイクロコンピューター３３Ａからの制御に基づいて、各希釈液、各原料を所定の比率で希釈して飲料を調理する。販売機構部には、図１２に示すとおり複数の各バルブが設けられている。なお、本実施形態では説明の便宜上、図１２に示す各バルブのうち１つのバルブ（例えば図１２・水入口バルブ。以下、バルブ１２として説明する）について説明する。尚、他のバルブについても同様に電圧の印加または解除が行われる。よって他のバルブの説明を省略する。バルブ１２は電磁リレーのリレースイッチ３７Ｄ（バルブ用リレースイッチ）と直列接続されている。リレースイッチ３７Ｄは、後述するリレーコイル３６Ｄ（バルブ用リレーコイル）が励磁されたとき、閉じるスイッチである（このようなリレーコイルが励磁されていないとき開いているリレースイッチをノーマルオープンスイッチと称し、Ｎ・Ｏと記載する）。また、リレースイッチ３７Ｄが閉じたとき、バルブ１２には、電圧（例えば１００Ｖ）が印加される。
【００２２】
販売制御部は、マイクロコンピューター３３Ａからの制御信号に基づいて、販売機構部を制御する。以下、販売制御部について説明する。電磁リレーのリレースイッチ３７Ｇ（バルブ制御用リレースイッチ）の一端は、リレーコイル３６Ａの励磁に伴って接点Ｈと接続され、リレーコイル３６Ａが励磁されないとき接点Ｇと接続されるスイッチである。リレースイッチ３７Ｇの他端は、電源Ｖ１（第１電圧）と接続されている。電磁リレーのリレースイッチ３７Ｈの一端は、リレーコイル３６Ａの励磁に伴って接点Ｊと接続され、リレーコイル３６Ａが励磁されないとき接点Ｉと接続されるスイッチである。また、リレースイッチ３７Ｈの他端は、接地（０Ｖ）されている。さらに、接点Ｊは、リレーコイル３６Ａの他端と接続されている。リレーコイル３６Ａの一端は、ｐｎｐトランジスタ４２のコレクタと接続され、他端は、ダイオード３８Ｄを介して、プッシュスイッチ３４Ａの一端と接続されている。ｐｎｐトランジスタ４２は、ベースが抵抗３９Ｄ、ドライバ３５Ａを介してマイクロコンピューター３３Ａに設けられたＢ端子と接続され、エミッタが電源Ｖ３（例えば２４Ｖ）と接続され、コレクタがリレーコイル３６Ａの一端と接続されている。またエミッタベース間には、抵抗３９Ｅが接続されている。押下（操作）されている期間のみ閉じるプッシュスイッチ３４Ａ（販売設定スイッチ）の一端は、ダイオード３８Ｃを介してマイクロコンピューター３３Ａに設けられたＡ端子に接続され、他端は接地されている。つまり、プッシュスイッチ３４Ａが閉じたとき、マイクロコンピューター３３ＡのＡ端子にはローレベルが入力される。リレーコイル３６Ａは、ｐｎｐトランジスタ４２のベースがローレベルになると、コレクタに電流が流れ励磁される。つまり、リレーコイル３６Ａは、一端が電源Ｖ３（略２４Ｖ）と接続され、他端が接地されることによって励磁される。リレースイッチ３７Ｄは、リレーコイル３６Ｄの励磁に伴って閉じる。リレーコイル３６Ｄの一端は、接点Ｈと接続され、他端はドライバ３５Ｄを介して、マイクロコンピューター３３Ａに設けられたＤ端子と接続されている。リレーコイル３６Ｄは、マイクロコンピューター３３ＡのＤ端子からハイレベルの制御信号が出力されたとき、ドライバ３５Ｄの出力がローレベルになることによって励磁される。つまり、リレーコイル３６Ｄは、一端が電源Ｖ１と接続され、他端が接地されることによって、電流が流れて励磁される。尚、ドライバ３５Ａは、破線内部に示すように、例えばｎｐｎトランジスタ４１、ベースと接続された抵抗３９Ｂ、エミッタベース間の抵抗３９Ｃから構成され、コレクタは電源Ｖ２と接続されている。ドライバ３５Ｄもドライバ３５Ａと同様に構成されている。
【００２３】
＝＝＝飲料ディスペンサの具体的動作＝＝＝
図１、図１２を参照しつつ、本発明を適用する飲料ディスペンサにおいて、飲料のバルブ通過を可能にするか否かについての具体的動作について説明する。なお、本実施形態では、飲料ディスペンサのリレースイッチ３７Ｄが開いている状態からの動作を説明するものとする。
【００２４】
プッシュスイッチ３４Ａが閉じられると、マイクロコンピューター３３ＡのＡ端子にローレベルが入力される。マイクロコンピューター３３Ａは、当該ローレベルを受けると、トランジスタ３５ＡにＢ端子からハイレベルの制御信号を出力する。当該ハイレベルの制御信号が出力されたとき、ドライバ３５Ａからの出力はローレベルとなる。よって、ｐｎｐトランジスタ４２のベース電位が下降することによってＯＮし、リレーコイル３６Ａは、電源Ｖ３からｐｎｐトランジスタ４２、リレーコイル３６Ａ、ダイオード３８Ｄ、プッシュスイッチ３４Ａに電流が流れ、励磁される。つまり、リレーコイル３６Ａは、一端が電源Ｖ３（略２４Ｖ）と接続され、他端が接地されることによって励磁される。リレーコイル３６Ａが励磁されることに伴って、リレースイッチ３７Ｇの一端は接点Ｈと接続されるとともに、リレースイッチ３７Ｈの一端は接点Ｊと接続される。その後、プッシュスイッチ３４Ａが開いても、電源Ｖ３からの電流がｐｎｐトランジスタ４２、リレーコイル３６Ａ、リレースイッチ３７Ｈと流れ続けるため、リレーコイル３６Ａは励磁されたままとなり、リレースイッチ３７Ｇは接点Ｈと、リレースイッチ３７Ｈは接点Ｊと接続されたままとなる。よって、その状態が保持されることとなる。
【００２５】
そして、販売ボタン４が押下されると、マイクロコンピューター３３Ａは、当該押下信号を受信し、ドライバ３５ＤにＤ端子からハイレベルの制御信号を出力する。リレーコイル３６Ｄは、当該ハイレベルの制御信号が出力されたとき、ドライバ３５Ｄの出力がローレベルになること、およびリレースイッチ３７Ｇが接点Ｈに接続されることによって励磁される。つまり、リレーコイル３６Ｄは、一端が電源Ｖ１と接続され、他端が接地されていることによって、電流が流れて励磁される。そして、リレーコイル３６Ｄが励磁されることに伴って、リレースイッチ３７Ｄが閉じる。リレースイッチ３７Ｄが閉じられるとバルブ１２には、電圧（例えば１００Ｖ）が印加されることとなる。つまり、飲料ディスペンサは、飲料のバルブ通過が可能となる。
【００２６】
その後、マイクロコンピューター３３Ａに設けられたＣＰＵ１は、設定機８によって予め定められた、ＲＡＭ３に記憶されている飲料ディスペンサの飲料供給の停止時刻と、タイマ５が計時する時刻とが一致したと判別すると、Ｂ端子からローレベルの制御信号を出力する。当該ローレベルの制御信号が出力されたとき、ドライバ３５Ａの出力がハイレベルとなる。ｐｎｐトランジスタ４２は、そのベース電位が上昇することによってＯＦＦし、リレーコイル３６Ａは、電源Ｖ３からの電流が流れなくなり、励磁が解除される。そして、リレーコイル３６Ａの励磁が解除されることに伴って、リレースイッチ３７Ｇが接点Ｇと接続されるとともに、リレースイッチ３７Ｈが接点Ｉと接続される。リレースイッチ３７Ｇが接点Ｇと接続されることにより、リレーコイル３６Ｄには電源Ｖ１からの電流が流れなくなる。リレーコイル３６Ｄに電流が流れなくなったことにより、リレーコイル３６Ｄの励磁は解除される。リレーコイル３６Ｄの励磁の解除に伴ってリレースイッチ３７Ｄが開く。リレースイッチ３７Ｄが開くことによって、バルブ１２には、電圧が印加されなくなる。つまり、飲料ディスペンサは、飲料のバルブ通過が不可能となる。
【００２７】
この実施形態によれば、設定機８によって予め定められた飲料供給の停止時刻に、バルブ１２への電圧の印加がされなくなることによって、飲料のバルブ通過が不可能となり、飲料が漏れることによる水漏れ事故を防ぐことが可能となる。
【００２８】
＜＜第２の実施形態＞＞
＝＝＝飲料ディスペンサの概略構成＝＝＝
図２、図１２を参照しつつ、本発明を適用する飲料ディスペンサの概略構成について説明する。図２は、飲料ディスペンサの本実施形態の概略構成を示す回路ブロック図である。
【００２９】
飲料ディスペンサは、マイクロコンピューター３３Ｂ（制御部）、後述する販売制御部、図１２に示す販売機構部により飲料の供給動作が実行される。  
マイクロコンピューター３３Ｂは、販売制御部を介して販売機構部を制御するものである。具体的には、マイクロコンピューター３３Ｂは、ＣＰＵ１、ＲＯＭ２、ＲＡＭ３を有する。ＣＰＵ１、ＲＯＭ２、ＲＡＭ３については、第１の実施形態のとおりである。
【００３０】
販売機構部については、第１の実施形態のとおりである。なお、本実施形態では説明の便宜上、図１２に示す各バルブのうち１つのバルブ（例えば図１２・水入口バルブ。以下、バルブ１２として説明する）について説明する。尚、他のバルブについても同様に電圧の印加または解除が行われる。よって他のバルブの説明を省略する。  
販売制御部については、第１の実施形態のとおりである。
【００３１】
＝＝＝飲料ディスペンサの具体的動作＝＝＝
図２、図１２を参照しつつ、本発明を適用する飲料ディスペンサにおいて、飲料のバルブ通過を可能にするか否かについての具体的動作について説明する。なお、本実施形態では、飲料ディスペンサのリレースイッチ３７Ｄが開いている状態からの動作を説明するものとする。
【００３２】
プッシュスイッチ３４Ａが閉じられると、マイクロコンピューター３３ＢのＡ端子にローレベルが入力される。マイクロコンピューター３３Ｂは、当該ローレベルを受けると、トランジスタ３５ＡにＢ端子からハイレベルの制御信号を出力する。当該ハイレベルの制御信号が出力されたとき、ドライバ３５Ａからの出力はローレベルとなる。ｐｎｐトランジスタ４２は、そのベース電位が下降することによってＯＮし、リレーコイル３６Ａは、電源Ｖ３からｐｎｐトランジスタ４２、リレーコイル３６Ａ、ダイオード３８Ｄ、プッシュスイッチ３４Ａに電流が流れ、励磁される。つまり、リレーコイル３６Ａは、一端が電源Ｖ３（略２４Ｖ）と接続され、他端が接地されることによって励磁される。リレーコイル３６Ａが励磁されることに伴って、リレースイッチ３７Ｇの一端は接点Ｈと接続されるとともに、リレースイッチ３７Ｈの一端は接点Ｊと接続される。その後、プッシュスイッチ３４Ａが開いても、電源Ｖ３からの電流がｐｎｐトランジスタ４２、リレーコイル３６Ａ、リレースイッチ３７Ｈと流れ続けるため、リレーコイル３６Ａは励磁されたままとなり、リレースイッチ３７Ｇは接点Ｈと、リレースイッチ３７Ｈは接点Ｊと接続されたままとなる。よって、その状態が保持されることとなる。
【００３３】
そして、販売ボタン４が押下されると、マイクロコンピューター３３Ｂは、当該押下信号を受信し、ドライバ３５ＤにＤ端子からハイレベルの制御信号を出力する。リレーコイル３６Ｄは、当該ハイレベルの制御信号が出力されたとき、ドライバ３５Ｄの出力がローレベルになること、およびリレースイッチ３７Ｇが接点Ｈに接続されることによって励磁される。つまり、リレーコイル３６Ｄは、一端が電源Ｖ１と接続され、他端が接地されていることによって、電流が流れて励磁される。そして、リレーコイル３６Ｄが励磁されることに伴って、リレースイッチ３７Ｄが閉じる。リレースイッチ３７Ｄが閉じられるとバルブ１２には、電圧（例えば１００Ｖ）が印加されることとなる。つまり、飲料ディスペンサは、飲料のバルブ通過が可能となる。
【００３４】
その後、再びプッシュスイッチ３４Ａが閉じられると、マイクロコンピューター３３ＢのＡ端子には、再びローレベルが入力される。マイクロコンピューター３３Ｂは、当該ローレベルを受けると、Ｂ端子からローレベルの制御信号を出力する。当該ローレベルの制御信号が出力されたとき、ドライバ３５Ａの出力がハイレベルとなる。ｐｎｐトランジスタ４２は、そのベース電位が上昇することによってＯＦＦし、リレーコイル３６Ａは、電源Ｖ３からの電流が流れなくなり、励磁が解除される。そして、リレーコイル３６Ａの励磁が解除されることに伴って、リレースイッチ３７Ｇが接点Ｇと接続されるとともに、リレースイッチ３７Ｈが接点Ｉと接続される。リレースイッチ３７Ｇが接点Ｇと接続されることにより、リレーコイル３６Ｄには電源Ｖ１からの電流が流れなくなる。リレーコイル３６Ｄに電流が流れなくなったことにより、リレーコイル３６Ｄの励磁は解除される。リレーコイル３６Ｄの励磁の解除に伴ってリレースイッチ３７Ｄが開く。リレースイッチ３７Ｄが開くことによって、バルブ１２には、電圧が印加されなくなる。つまり、飲料ディスペンサは、飲料のバルブ通過が不可能となる。
【００３５】
この実施形態によれば、ひとつのプッシュスイッチ３４Ａによって、バルブ１２への電圧の印加がされなくなり、飲料のバルブ通過が不可能となり、飲料が漏れることによる水漏れ事故を防ぐことが可能となる。
【００３６】
＜＜第３の実施形態＞＞
＝＝＝飲料ディスペンサの概略構成＝＝＝
図３、図１２を参照しつつ、本発明を適用する飲料ディスペンサの概略構成について説明する。図３は、飲料ディスペンサの本実施形態の概略構成を示す回路ブロック図である。
【００３７】
飲料ディスペンサは、マイクロコンピューター３３Ｃ（制御部）、後述する販売制御部、図１２に示す販売機構部により飲料の供給動作が実行される。
【００３８】
マイクロコンピューター３３Ｃは、販売制御部を介して販売機構部を制御するものである。具体的には、マイクロコンピューター３３Ｃは、ＣＰＵ１、ＲＯＭ２、ＲＡＭ３、タイマ５を有する。ＣＰＵ１、ＲＯＭ２、ＲＡＭ３については、第１の実施形態のとおりである。タイマ５は、時刻を計時するものである。なお、後述するように、ＣＰＵ１は、飲料ディスペンサの飲料供給の停止時刻が設定機８で設定されると、当該停止時刻をＲＡＭ３に記憶させる。そして、ＣＰＵ１は、タイマ５が計時する時刻と停止時刻を比較する。また、マイクロコンピューター３３Ｃは、販売ボタン４からの押下信号を受信すると、後述するバルブ１２を開いて飲料の調理を行うべく、販売機構部に制御信号を送信する。なお本実施形態においては、説明の便宜上、販売ボタン４がバルブ１２と対応すべく設けられているが、販売ボタンは、飲料ディスペンサが供給する飲料の種類の数に応じて設けられる。
【００３９】
販売機構部については、第１の実施例のとおりである。なお、本実施形態では説明の便宜上、図１２に示す各バルブのうち１つのバルブ（例えば図１２・水入口バルブ。以下、バルブ１２として説明する）について説明する。尚、他のバルブについても同様に電圧の印加または解除が行われる。よって他のバルブの説明を省略する。
【００４０】
販売制御部は、マイクロコンピューター３３Ｃからの制御信号に基づいて、販売機構部を制御する。以下、販売制御部について説明する。電磁リレーのリレースイッチ３７Ａ（第１リレースイッチ）は、リレーコイル３６Ｂの励磁に伴って開くスイッチである（このようなリレーコイルが励磁されていないとき、閉じているリレースイッチをノーマルクローズスイッチと称し、Ｎ・Ｃと記載する）。電磁リレーのリレースイッチ３７Ｂ（第２リレースイッチ）、３７Ｃ（第３リレースイッチ）は、リレーコイル３６Ｃの励磁に伴って閉じるスイッチである。リレーコイル３６Ｂの一端は電源Ｖ１（第１電圧、例えば２４Ｖ）と接続され、他端はマイクロコンピューター３３Ｃに設けられたＢ端子とドライバ３５Ｂを介して接続されている。リレーコイル３６Ｂは、マイクロコンピューター３３ＣのＢ端子からハイレベルの制御信号が出力されたとき、ドライバ３５Ｂの出力がローレベルになることによって励磁される。つまり、リレーコイル３６Ｂは、一端が電源Ｖ１と接続され、他端が接地されることによって、電流が流れて励磁される。押下（操作）されている期間のみ閉じるプッシュスイッチ３４Ｂ（販売設定スイッチ）の一端は、ダイオード３８Ｂ、抵抗３９Ａを介して電源Ｖ４に接続されるとともに、マイクロコンピューター３３Ｃに設けられたＣ端子に接続され、他端は接地されている。つまり、プッシュスイッチ３４Ｂが閉じたとき、マイクロコンピューター３３ＣのＣ端子に入力される電圧はハイレベルから、ローレベルへと変化する（立ち下がる）ことになる。リレースイッチ３７Ａ、リレーコイル３６Ｃ、ダイオード３８Ａ、プッシュスイッチ３４Ｂは、電源Ｖ１と接地との間に直列接続されている。リレースイッチ３７Ｂは、ダイオード３８Ａ、プッシュスイッチ３４Ｂと並列接続されている。リレースイッチ３７Ｃの一端は、電源Ｖ１と接続されている。リレースイッチ３７Ｄは、リレーコイル３６Ｄの励磁に伴って閉じる。リレーコイル３６Ｄの一端はリレースイッチ３７Ｃの他端と接続され、他端はドライバ３５Ｄを介してマイクロコンピューター３３Ｃに設けられたＤ端子と接続されている。リレーコイル３６Ｄは、マイクロコンピューター３３ＣのＤ端子からハイレベルの制御信号が出力されたとき、ドライバ３５Ｄの出力がローレベルになることによって励磁される。つまり、リレーコイル３６Ｄは、一端が電源Ｖ１と接続され、他端が接地されることによって、電流が流れて励磁される。尚、ドライバ３５Ｂは、図１の破線内部に示すように、例えばｎｐｎトランジスタ４１、ベースと接続された抵抗３９Ｂ、エミッタベース間の抵抗３９Ｃから構成され、コレクタは電源Ｖ２と接続されている。なお第２電圧は接地である。
【００４１】
＝＝＝飲料ディスペンサの具体的動作＝＝＝
図３乃至図５、図１２を参照しつつ、本発明を適用する飲料ディスペンサにおいて、飲料のバルブ通過を可能にするか否かについての具体的動作について説明する。図４は、飲料ディスペンサが、飲料のバルブ通過を可能にするか否かについての動作を示すフローチャートである。図５は、飲料ディスペンサが、飲料のバルブ通過を可能にするか否かを示すタイミングチャートである。なお、図５において、プッシュスイッチ３４Ｂついては、当該プッシュスイッチ３４Ｂが閉じているときをハイレベルで示し、リレースイッチ３７Ｂ、３７Ｃ、３７Ａについては、当該スイッチが閉じているときをハイレベルで示している。なお、本実施形態では、飲料ディスペンサのリレースイッチ３７Ｄが開いている状態（つまり販売不可状態（図４・Ｓ１））からの動作を説明するものとする。
【００４２】
プッシュスイッチ３４Ｂが閉じられると（図４、Ｓ２・ＹＥＳ）、マイクロコンピューター３３ＣのＣ端子に入力される電圧はハイレベルから、ローレベルへと変化する（立ち下がる）（図５、Ｔ１参照）。プッシュスイッチ３４Ｂが閉じられたことから、電源Ｖ１からリレースイッチ３７Ａを通って、リレーコイル３６Ｃ、ダイオード３８Ａに電流が流れる。リレーコイル３６Ｃは電流が流れることにより励磁され、リレースイッチ３７Ｂ、３７Ｃが閉じる（図５、Ｔ１参照）。その後、プッシュスイッチ３４Ｂが開いても、リレースイッチ３７Ｂを通して、電源Ｖ１からの電流が流れ続けるためリレーコイル３６Ｃは、励磁されたままとなり、リレースイッチ３７Ｂ、３７Ｃは閉じたままとなる（図５、Ｔ１乃至Ｔ３参照）。よって、その状態が保持されることとなる。
【００４３】
そして、販売ボタン４が押下されると、マイクロコンピューター３３Ｃは、当該押下信号を受信し、ドライバ３５ＤにＤ端子からハイレベルの制御信号を出力する。また、マイクロコンピューター３３Ｃは、上述したプッシュスイッチ３４Ｂが閉じられたことによるローレベルの電圧がＣ端子に入力されることによって、ドライバ３５ＤにＤ端子からハイレベルの制御信号を出力する。リレーコイル３６Ｄは、当該ハイレベルの制御信号が出力されたとき、ドライバ３５Ｄの出力がローレベルになること、およびリレースイッチ３７Ｃが閉じられていることによって励磁される。つまり、リレーコイル３６Ｄは、一端が電源Ｖ１と接続され、他端が接地されていることによって、電流が流れて励磁される。そして、リレーコイル３６Ｄが励磁されることに伴って、リレースイッチ３７Ｄが閉じる。リレースイッチ３７Ｄが閉じられるとバルブ１２には、電圧（例えば１００Ｖ）が印加されることとなる。つまり、飲料ディスペンサは、飲料のバルブ通過が可能となる（図４、Ｓ３）。
【００４４】
その後、マイクロコンピューター３３Ｃに設けられたＣＰＵ１は、設定機８によって予め定められた、ＲＡＭ３に記憶されている飲料ディスペンサの飲料供給の停止時刻と、タイマ５が計時する時刻とが一致したと判別すると（図４、Ｓ４・ＹＥＳ）、Ｂ端子からハイレベルの制御信号を出力する（図４、Ｓ５）。リレーコイル３６Ｂは、当該ハイレベルの制御信号が出力されたとき、ドライバ３５Ｂの出力がローレベルになることよって励磁される。つまり、リレーコイル３６Ｂは、一端が電源Ｖ１と接続され、他端が接地されることによって、電流が流れて励磁される。そして、リレーコイル３６Ｂが励磁されることに伴って、リレースイッチ３７Ａが開く（図５、Ｔ３参照）。リレースイッチ３７Ａが開くことによって、リレーコイル３６Ｃ、ダイオード３８Ａには電源Ｖ１からの電流が流れなくなる。リレーコイル３６Ｃに電流が流れなくなったことにより、リレーコイル３６Ｃの励磁は解除される。リレーコイル３６Ｃの励磁の解除に伴ってリレースイッチ３７Ｂ、３７Ｃが開く（図５、Ｔ３参照）。リレースイッチ３７Ｃが開くことによってリレーコイル３６Ｄには電源Ｖ１からの電流が流れなくなる。リレーコイル３６Ｄに電流が流れなくなったことにより、リレーコイル３６Ｄの励磁は解除される。リレーコイル３６Ｄの励磁の解除に伴ってリレースイッチ３７Ｄが開く。リレースイッチ３７Ｄが開くことによって、バルブ１２には、電圧が印加されなくなる。つまり、飲料ディスペンサは、飲料のバルブ通過が不可能となる（図４、Ｓ６）。
【００４５】
なお、上述したドライバ３５Ｂは、マイクロコンピューター３３ＣのＢ端子からハイレベルの制御信号が出力されなくなると（図４、Ｓ７）、リレーコイル３６Ｂには電源Ｖ１からの電流が流れなくなる。そのため、リレーコイル３６Ｂに電流が流れなくなったことにより、リレーコイル３６Ｂの励磁は解除される。リレーコイル３６Ｂの励磁の解除に伴って、リレースイッチ３７Ａが閉じる（図５、Ｔ３乃至Ｔ４参照）。
【００４６】
この実施形態によれば、設定機８によって予め定められた飲料供給の停止時刻に、バルブ１２への電圧の印加がされなくなることによって、飲料のバルブ通過が不可能となり、飲料が漏れることによる水漏れ事故を防ぐことが可能となる。また、マイクロコンピューター３３Ｃの故障などからドライバ３５Ｂ、３５Ｄにハイレベルの制御信号が出力されても、リレースイッチ３７Ｃが開いていることから、リレーコイル３６Ｄには電流が流れず、バルブ１２への電圧の印加はされず、飲料のバルブ通過が不可能となり、飲料が漏れることによる水漏れ事故を防ぐことが可能となる。
【００４７】
＜＜第４の実施形態＞＞
＝＝＝飲料ディスペンサの概略構成＝＝＝
図６、図１２を参照しつつ、本発明を適用する飲料ディスペンサの概略構成について説明する。図６は、飲料ディスペンサの本実施形態の概略構成を示す回路ブロック図である。
【００４８】
飲料ディスペンサは、マイクロコンピューター３３Ｄ（制御部）、後述する販売制御部、図１２に示す販売機構部により飲料の供給動作が実行される。
【００４９】
マイクロコンピューター３３Ｄは、販売制御部を介して販売機構部を制御するものである。具体的には、マイクロコンピューター３３Ｄは、ＣＰＵ１、ＲＯＭ２、ＲＡＭ３、カウンタ６を有する。ＣＰＵ１、ＲＯＭ２、ＲＡＭ３については、第１の実施形態のとおりである。カウンタ６は、後述するように、プッシュスイッチ３４Ｂが閉じたとき、操作信号（マイクロコンピューター３３ＤのＣ端子に入力される電圧がハイレベルからローレベルへと変化する（立ち下がる）ときの信号）をカウントする。そして、ＣＰＵ１は、カウンタ６によってカウントされる当該操作信号のうち、偶数回目を計数し、Ｂ端子にハイレベルの制御信号を出力する。また、マイクロコンピューター３３Ｄは、販売ボタン４からの押下信号を受信すると、後述するバルブ１２を開いて飲料の調理を行うべく、販売機構部に制御信号を送信する。なお本実施形態においては、説明の便宜上、販売ボタン４がバルブ１２と対応すべく設けられているが、販売ボタンは、飲料ディスペンサが供給する飲料の種類の数に応じて設けられる。
【００５０】
販売機構部および販売制御部の構成については、第３の実施形態のとおりである。なお、本実施形態では説明の便宜上、図１２に示す各バルブのうち１つのバルブ（例えば図１２・水入口バルブ。以下、バルブ１２として説明する）について説明する。尚、他のバルブについても同様に電圧の印加または解除が行われる。よって他のバルブの説明を省略する。なお第２電圧は接地である。
【００５１】
＝＝＝飲料ディスペンサの具体的動作＝＝＝
図６乃至図８、図１２を参照しつつ、本発明を適用する飲料ディスペンサにおいて、飲料のバルブ通過を可能にするか否かについての具体的動作について説明する。図７は、飲料ディスペンサが、飲料のバルブ通過を可能にするか否かについての動作を示すフローチャートである。図８は、飲料ディスペンサが、飲料のバルブ通過を可能にするか否かを示すタイミングチャートである。なお、図８において、プッシュスイッチ３４Ｂついては、当該プッシュスイッチ３４Ｂが閉じているときをハイレベルで示し、リレースイッチ３７Ｂ、３７Ｃ、３７Ａについては、当該スイッチが閉じているときをハイレベルで示している。なお、本実施形態では、飲料ディスペンサのリレースイッチ３７Ｄが開いている状態（つまり販売不可状態（図７・Ｓ１０１））からの動作を説明するものとする。
【００５２】
プッシュスイッチ３４Ｂが閉じられると（図７、Ｓ１０２・ＹＥＳ）、マイクロコンピューター３３ＤのＣ端子に入力される電圧はハイレベルから、ローレベルへと変化する（立ち下がる）（図８、Ｔ１０１参照）。また、カウンタ６は、当該電圧の変化を操作信号として、カウント１を計数する。プッシュスイッチ３４Ｂが閉じられたことから、電源Ｖ１（第１電圧）からリレースイッチ３７Ａを通って、リレーコイル３６Ｃ、ダイオード３８Ａに電流が流れる。リレーコイル３６Ｃは電流が流れることにより励磁され、リレースイッチ３７Ｂ、３７Ｃが閉じる（図８、Ｔ１０１参照）。その後、プッシュスイッチ３４Ｂが開いても、リレースイッチ３７Ｂを通して、電源Ｖ１からの電流が流れ続けるためリレーコイル３６Ｃは、励磁されたままとなり、リレースイッチ３７Ｂ、３７Ｃは閉じたままとなる（図８、Ｔ１０１乃至Ｔ１０２参照）。よって、その状態が保持されることとなる。
【００５３】
そして、販売ボタン４が押下されると、マイクロコンピューター３３Ｄは、当該押下信号を受信し、ドライバ３５ＤにＤ端子からハイレベルの制御信号を出力する。リレーコイル３６Ｄは、当該ハイレベルの制御信号が出力されたとき、ドライバ３５Ｄの出力がローレベルになること、およびリレースイッチ３７Ｃが閉じられていることによって励磁される。つまり、リレーコイル３６Ｄは、一端が電源Ｖ１と接続され、他端が接地されていることによって、電流が流れて励磁される。そして、リレーコイル３６Ｄが励磁されることに伴って、リレースイッチ３７Ｄが閉じる。リレースイッチ３７Ｄが閉じられるとバルブ１２には、電圧（例えば１００Ｖ）が印加されることとなる。つまり、飲料ディスペンサは、飲料のバルブ通過が可能となる（図７、Ｓ１０３）。
【００５４】
その後、再びプッシュスイッチ３４Ｂが閉じられると（図７、Ｓ１０４・ＹＥＳ）、カウンタ６は、プッシュスイッチ３４Ｂが閉じられたことによる電圧の変化を操作信号として、カウント２を計数する（図８、Ｔ１０３参照）。そしてＣＰＵ１は、カウンタ６によるカウントが偶数回数によるものと判別すると、Ｂ端子からハイレベルの制御信号を出力する（図７、Ｓ１０５）。リレーコイル３６Ｂは、当該ハイレベルの制御信号が出力されたとき、ドライバ３５Ｂの出力がローレベルになることよって励磁される。つまり、リレーコイル３６Ｂは、一端が電源Ｖ１と接続され、他端が接地されることによって、電流が流れて励磁される。そして、リレーコイル３６Ｂが励磁されることに伴って、リレースイッチ３７Ａが開く。リレースイッチ３７Ａが開くことによって、リレーコイル３６Ｃ、ダイオード３８Ａには電源Ｖ１からの電流が流れなくなる。リレーコイル３６Ｃに電流が流れなくなったことにより、リレーコイル３６Ｃの励磁は解除される。リレーコイル３６Ｃの励磁の解除に伴ってリレースイッチ３７Ｂ、３７Ｃが開く（図８、Ｔ１０３参照）。リレースイッチ３７Ｃが開くことによってリレーコイル３６Ｄには電源Ｖ１からの電流が流れなくなる。リレーコイル３６Ｄに電流が流れなくなったことにより、リレーコイル３６Ｄの励磁は解除される。リレーコイル３６Ｄの励磁の解除に伴ってリレースイッチ３７Ｄが開く。リレースイッチ３７Ｄが開くことによって、バルブ１２には、電圧が印加されなくなる。つまり、飲料ディスペンサは、飲料のバルブ通過が不可能となる（図７、Ｓ６）。
【００５５】
なお、上述したドライバ３５Ｂは、マイクロコンピューター３３ＤのＢ端子からハイレベルの制御信号が出力されなくなると（図７、Ｓ１０７）、リレーコイル３６Ｂには電源Ｖ１からの電流が流れなくなる。そのため、リレーコイル３６Ｂに電流が流れなくなったことにより、リレーコイル３６Ｂの励磁は解除される。リレーコイル３６Ｂの励磁の解除に伴って、リレースイッチ３７Ａが閉じる（図８、Ｔ１０３乃至Ｔ１０５参照）。
【００５６】
この実施形態によれば、ひとつのプッシュスイッチ３４Ｂによって、バルブ１２への電圧の印加がされなくなり、飲料のバルブ通過が不可能となり、飲料が漏れることによる水漏れ事故を防ぐことが可能となる。また、マイクロコンピューター３３Ｄの故障などからドライバ３５Ｂ、３５Ｄにハイレベルの制御信号が出力されても、リレーコイル３６Ｄには、リレースイッチ３７Ｃが開いていることから電流が流れず、バルブ１２への電圧の印加はされず、飲料のバルブ通過が不可能となり、飲料が漏れることによる水漏れ事故を防ぐことが可能となる。
【００５７】
＜＜第５の実施形態＞＞
＝＝＝飲料ディスペンサの概略構成＝＝＝
図９、図１２を参照しつつ、本発明を適用する飲料ディスペンサの概略構成について説明する。図９は、飲料ディスペンサの本実施形態の概略構成を示す回路ブロック図である。
【００５８】
飲料ディスペンサは、マイクロコンピューター３３Ｅ（制御部）、後述する販売制御部、図１２に示す販売機構部により飲料の供給動作が実行される。
【００５９】
マイクロコンピューター３３Ｅは、販売制御部を介して販売機構部を制御するものである。具体的には、マイクロコンピューター３３Ｅは、ＣＰＵ１、ＲＯＭ２、ＲＡＭ３を有する。ＣＰＵ１、ＲＯＭ２、ＲＡＭ３については、第１の実施形態のとおりである。また、マイクロコンピューター３３Ｅは、販売ボタン４からの押下信号を受信すると、後述するバルブ１２を開いて飲料の調理を行うべく、販売機構部に制御信号を送信する。なお本実施形態においては、説明の便宜上、販売ボタン４がバルブ１２と対応すべく設けられているが、販売ボタンは、飲料ディスペンサが供給する飲料の種類の数に応じて設けられる。
【００６０】
販売機構部については、第１の実施形態のとおりである。なお、本実施形態では説明の便宜上、図１２に示す各バルブのうち１つのバルブ（例えば図１２・水入口バルブ。以下、バルブ１２として説明する）について説明する。尚、他のバルブについても同様に電圧の印加または解除が行われる。よって他のバルブの説明を省略する。
【００６１】
販売制御部は、マイクロコンピューター３３Ｅからの制御信号に基づいて、販売機構部を制御する。以下、販売制御部について説明する。電磁リレーのリレースイッチ３７Ａ（第１リレースイッチ）は、リレーコイル３６Ｂの励磁に伴って開くスイッチである。電磁リレーのリレースイッチ３７Ｂ（第２リレースイッチ）、３７Ｃ（第３リレースイッチ）は、リレーコイル３６Ｃの励磁に伴って閉じるスイッチである。リレーコイル３６Ｂの一端は電源Ｖ１（第１電圧、例えば２４Ｖ）と接続され、他端はプッシュスイッチ３４Ｄ（販売停止用スイッチ）の一端と接続されている。押下（操作）されている期間のみ閉じるプッシュスイッチ３４Ｄの他端は接地されている。リレーコイル３６Ｂは、プッシュスイッチ３４Ｄが閉じられたとき電源Ｖ１と接続され、電流が流れて励磁される。押下（操作）されている期間のみ閉じるプッシュスイッチ３４Ｃ（販売用スイッチ）の一端は、ダイオード３８Ａと接続し、他端は接地されている。リレースイッチ３７Ａ、リレーコイル３６Ｃ、ダイオード３８Ａ、プッシュスイッチ３４Ｃは、電源Ｖ１と接地の間に直列接続されている。リレーコイル３６Ｃは、プッシュスイッチ３４Ｃが閉じられたとき電源Ｖ１と接続され、電流が流れて励磁される。リレースイッチ３７Ｂは、プッシュスイッチ３４Ｃと並列接続されている。リレースイッチ３７Ｃの一端は、電源Ｖ１と接続されている。リレースイッチ３７Ｄは、リレーコイル３６Ｄの励磁に伴って閉じる。リレーコイル３６Ｄの一端はリレースイッチ３７Ｃの他端と接続され、他端はドライバ３５Ｄを介してマイクロコンピューター３３Ｅに設けられたＤ端子と接続されている。リレーコイル３６Ｄは、マイクロコンピューター３３ＥのＤ端子からハイレベルの制御信号が出力されたとき、ドライバ３５Ｄの出力がローレベルになることによって励磁される。つまり、リレーコイル３６Ｄは、一端が電源Ｖ１と接続され、他端が接地されることによって、電流が流れて励磁される。なお第２電圧は接地である。
【００６２】
＝＝＝飲料ディスペンサの具体的動作＝＝＝
図９、図１２を参照しつつ、本発明を適用する飲料ディスペンサにおいて、飲料のバルブ通過を可能にするか否かについての具体的動作について説明する。なお、本実施形態では、飲料ディスペンサのリレースイッチ３７Ｄが開いている状態からの動作を説明するものとする。
【００６３】
プッシュスイッチ３４Ｃが閉じられると、電源Ｖ１からリレースイッチ３７Ａを通って、リレーコイル３６Ｃ、ダイオード３８Ａに電流が流れる。リレーコイル３６Ｃは電流が流れることにより励磁され、リレースイッチ３７Ｂ、３７Ｃが閉じる。その後、プッシュスイッチ３４Ｃが開いても、リレースイッチ３７Ｂを通して、電源Ｖ１からの電流が流れ続けるためリレーコイル３６Ｃは、励磁されたままとなり、リレースイッチ３７Ｂ、３７Ｃは閉じたままとなる。よって、その状態が保持されることとなる。
【００６４】
そして、販売ボタン４が押下されると、マイクロコンピューター３３Ｅは、当該押下信号を受信し、ドライバ３５ＤにＤ端子からハイレベルの制御信号を出力する。リレーコイル３６Ｄは、当該ハイレベルの制御信号が出力されたとき、ドライバ３５Ｄの出力がローレベルになること、およびリレースイッチ３７Ｃが閉じられていることによって励磁される。つまり、リレーコイル３６Ｄは、一端が電源Ｖ１と接続され、他端が接地されていることによって、電流が流れて励磁される。そして、リレーコイル３６Ｄが励磁されることに伴って、リレースイッチ３７Ｄが閉じる。リレースイッチ３７Ｄが閉じられるとバルブ１２には、電圧（例えば１００Ｖ）が印加されることとなる。つまり、飲料ディスペンサは、飲料のバルブ通過が可能となる。
【００６５】
その後、プッシュスイッチ３４Ｄが閉じられると、電源Ｖ１からリレーコイル３６Ｂに電流が流れる。リレーコイル３６Ｂは電流が流れることにより励磁される。そして、リレーコイル３６Ｂが励磁されることに伴って、リレースイッチ３７Ａが開く。リレースイッチ３７Ａが開くことによって、リレーコイル３６Ｃ、ダイオード３８Ａには電源Ｖ１からの電流が流れなくなる。リレーコイル３６Ｃに電流が流れなくなったことにより、リレーコイル３６Ｃの励磁は解除される。リレーコイル３６Ｃの励磁の解除に伴ってリレースイッチ３７Ｂ、３７Ｃが開く。リレースイッチ３７Ｃが開くことによってリレーコイル３６Ｄには電源Ｖ１からの電流が流れなくなる。リレーコイル３６Ｄに電流が流れなくなったことにより、リレーコイル３６Ｄの励磁は解除される。リレーコイル３６Ｄの励磁の解除に伴ってリレースイッチ３７Ｄが開く。リレースイッチ３７Ｄが開くことによって、バルブ１２には、電圧が印加されなくなる。つまり、飲料ディスペンサは、飲料のバルブ通過が不可能となる。
【００６６】
この実施形態によれば、プッシュスイッチ３４Ｄによって、バルブ１２への電圧の印加がされなくなり、飲料のバルブ通過が不可能となり、飲料が漏れることによる水漏れ事故を防ぐことが可能となる。また、マイクロコンピューター３３Ｅの故障などからドライバ３５Ｄにハイレベルの制御信号が出力されても、リレーコイル３６Ｄには、リレースイッチ３７Ｃが開いていることから電流が流れず、バルブ１２への電圧の印加はされず、飲料のバルブ通過が不可能となり、飲料が漏れることによる水漏れ事故を防ぐことが可能となる。さらに、飲料のバルブ通過を可能とするスイッチ（プッシュスイッチ３４Ｃ）と、飲料のバルブ通過を不可能とするスイッチ（プッシュスイッチ３４Ｄ）を設けることによって、スイッチの押し間違いが生じにくくなる。
【００６７】
＜＜第６の実施形態＞＞
＝＝＝飲料ディスペンサの概略構成＝＝＝
図１０、図１２を参照しつつ、本発明を適用する飲料ディスペンサの概略構成について説明する。図１０は、飲料ディスペンサの本実施形態の概略構成を示す回路ブロック図である。
【００６８】
飲料ディスペンサは、マイクロコンピューター３３Ｆ（制御部）、後述する販売制御部、図１２に示す販売機構部により飲料の供給動作が実行される。
【００６９】
マイクロコンピューター３３Ｆは、販売制御部を介して販売機構部を制御するものである。具体的には、マイクロコンピューター３３Ｆは、ＣＰＵ１（計数部）、ＲＯＭ２、ＲＡＭ３、タイマ５、人体センサ９を有する。ＣＰＵ１、ＲＯＭ２、ＲＡＭ３については、第１の実施形態のとおりである。タイマ５は、時刻を計時するものである。人体センサ９は、飲料ディスペンサからの所定の範囲に人がいるか否かを検知し、当該検知に基づいてＣＰＵ１に検知信号を送信する。なお、後述するように、ＣＰＵ１は、人体センサ９からの人がいるとの検知信号を受信しなくなったとき、タイマ５が計時する時刻を取り込む。そして当該取り込み時刻から予め定められた期間（継続期間）、人体センサ９から人がいるとの検知信号を受信しないとき、ハイレベルの制御信号を出力する。また、マイクロコンピューター３３Ｆは、販売ボタン４からの押下信号を受信すると、後述するバルブ１２を開いて飲料の調理を行うべく、販売機構部に制御信号を送信する。なお本実施形態においては、説明の便宜上、販売ボタン４がバルブ１２と対応すべく設けられているが、販売ボタンは、飲料ディスペンサが供給する飲料の種類の数に応じて設けられる。
【００７０】
販売機構部については、第１の実施形態のとおりである。なお、本実施形態では説明の便宜上、図１２に示す各バルブのうち１つのバルブ（例えば図１２・水入口バルブ。以下、バルブ１２として説明する）について説明する。尚、他のバルブについても同様に電圧の印加または解除が行われる。よって他のバルブの説明を省略する。
【００７１】
販売制御部は、マイクロコンピューター３３Ｆからの制御信号に基づいて、販売機構部を制御する。以下、販売制御部について説明する。電磁リレーのリレースイッチ３７Ｆ（バルブ制御用リレースイッチ）は、リレーコイル３６Ｆの励磁に伴って閉じるスイッチである。リレーコイル３６Ｆの一端は電源Ｖ１と接続され、他端はマイクロコンピューター３３Ｆに設けられたＦ端子とドライバ３５Ｆを介して接続されている。リレーコイル３６Ｆは、マイクロコンピューター３３ＦのＦ端子からハイレベルの制御信号が出力されたとき、ドライバ３５Ｆの出力がローレベルになることによって励磁される。つまり、リレーコイル３６Ｆは、一端が電源Ｖ１と接続され、他端が接地されることによって、電流が流れて励磁される。リレースイッチ３７Ｆの一端は、手動スイッチ４３の他端と接続されている。リレースイッチ３７Ｄは、リレーコイル３６Ｄの励磁に伴って閉じる。リレーコイル３６Ｄの一端は手動スイッチ４３の他端と接続され、他端はドライバ３５Ｄを介してマイクロコンピューター３３Ｆに設けられたＤ端子と接続されている。リレーコイル３６Ｄは、マイクロコンピューター３３ＦのＤ端子からハイレベルの制御信号が出力されたとき、ドライバ３５Ｄの出力がローレベルになることによって励磁される。つまり、リレーコイル３６Ｄは、一端が電源Ｖ１と接続され、他端が接地されることによって、電流が流れて励磁される。手動スイッチ４３は、一端が電源Ｖ１と他端がリレースイッチ３７Ｆと接続されている。手動スイッチ４３は、人によって閉じられると電源Ｖ１、リレースイッチ３７Ｆ間を接続し、開けられると、電源Ｖ１、リレースイッチ３７Ｆ間を遮断するスイッチである。なお、本実施形態では、手動スイッチ４３は閉じている状態として説明する。
【００７２】
＝＝＝飲料ディスペンサの具体的動作＝＝＝
図１０乃至図１２を参照しつつ、本発明を適用する飲料ディスペンサにおいて、飲料のバルブ通過を可能にするか否かについての具体的動作について説明する。図１１は、飲料ディスペンサが、飲料のバルブ通過を可能にするか否かについての動作を示すフローチャートである。なお、本実施形態では、飲料ディスペンサのリレースイッチ３７Ｄが開いている状態からの動作を説明するものとする。
【００７３】
人体センサ９が飲料ディスペンサからの所定の範囲に、人がいることを検知すると、ＣＰＵ１に人がいるとの検知信号を送信する（図１１、Ｓ２０１・ＹＥＳ）。ＣＰＵ１は、当該検知信号を受信すると、ドライバ３５ＦにＦ端子からハイレベルの制御信号を出力する（図１１、Ｓ２０２）。リレーコイル３６Ｆは、当該ハイレベルの制御信号が出力されたとき、ドライバ３５Ｆの出力がローレベルになることによって励磁される。つまり、リレーコイル３６Ｆは、一端が電源Ｖ１と接続され、他端が接地されることによって、電流が流れて励磁される。そして、リレーコイル３６Ｆが励磁されることに伴って、リレースイッチ３７Ｆが閉じる。
【００７４】
そして、販売ボタン４が押下されると、マイクロコンピューター３３Ｆは、当該押下信号を受信し、ドライバ３５ＤにＤ端子からハイレベルの制御信号を出力する。リレーコイル３６Ｄは、当該ハイレベルの制御信号が出力されたとき、ドライバ３５Ｄの出力がローレベルになること、およびリレースイッチ３７Ｆが閉じられていることによって励磁される。つまり、リレーコイル３６Ｄは、一端が電源Ｖ１と接続され、他端が接地されていることによって、電流が流れて励磁される。そして、リレーコイル３６Ｄが励磁されることに伴って、リレースイッチ３７Ｄが閉じる。リレースイッチ３７Ｄが閉じられるとバルブ１２には、電圧（例えば１００Ｖ）が印加されることとなる。つまり、飲料ディスペンサは、飲料のバルブ通過が可能となる（図１１、Ｓ２０３）。
【００７５】
その後、ＣＰＵ１は、人体センサ９からの人がいるとの検知信号を受信しなくなったとき（図１１、Ｓ２０４・ＮＯ）のタイマ５が計時する時刻を取り込む。そして当該取り込み時刻から、ＲＯＭ２またはＲＡＭ３に記憶されている予め定められた期間（継続期間）に達するまで、タイマ５が計時する時刻と比較する。継続期間中、人体センサ９から人がいるとの検知信号を受信せず、継続期間が経過したと判別したとき（図１１、Ｓ２０５・ＹＥＳ）、ＣＰＵ１は、ドライバ３５ＦへのＦ端子からのハイレベルの制御信号の出力を止める（図１１、Ｓ２０７）。ドライバ３５Ｆにマイクロコンピューター３３ＦのＦ端子からハイレベルの制御信号が出力されなくなると、ドライバ３５Ｆからローレベルが出力されず、リレーコイル３６Ｆには電源Ｖ１からの電流が流れなくなる。そのため、リレーコイル３６Ｆに電流が流れなくなったことにより、リレーコイル３６Ｆの励磁は解除される。リレーコイル３６Ｆの励磁の解除に伴って、リレースイッチ３７Ｆが開く。そして、リレースイッチ３７Ｆが開くことによってリレーコイル３６Ｄには電源Ｖ１からの電流が流れなくなる。リレーコイル３６Ｄに電流が流れなくなったことにより、リレーコイル３６Ｄの励磁は解除される。リレーコイル３６Ｄの励磁の解除に伴ってリレースイッチ３７Ｄが開く。リレースイッチ３７Ｄが開くことによって、バルブ１２には、電圧が印加されなくなる。つまり、飲料ディスペンサは、飲料のバルブ通過が不可能となる（図１１、Ｓ２０８）。なお、ＣＰＵ１は、ＲＯＭ２に予め定められた期間のカウント中に、人体センサ９からの人がいるとの信号を受信すると、当該カウントをリセットする（図１１、Ｓ２０６）。
【００７６】
この実施形態によれば、飲料ディスペンサからの所定の範囲に、予め定めたれた期間人がいない場合、バルブ１２への電圧の印加がされなくなることによって、飲料のバルブ通過が不可能となり、飲料が漏れることによる水漏れ事故を防ぐことが可能となる。
【００７７】
なお、本実施形態では、手動スイッチ４３を開くことによって、リレーコイル３６Ｄへの電源Ｖ１からの電流を遮断することもできる。また、本実施形態においては、人がいない時のタイマ５が計時する時刻を開始時刻として、リレーコイル３６Ｄの励磁の解除が行われているが、これに限るものではない。カウンタをマイクロコンピューター３３Ｆに設けてもよい。その場合、人がいることを人体センサが検知したときの検知信号により、当該カウンタがカウントを開始し、予め定められた期間を当該カウンタがカウントし終えたとき、リレーコイル３６Ｄの励磁が解除するように設けてもよい。
【００７８】
なお、第１の実施形態乃至第４の実施形態、第６の実施形態において、リレーコイル３６Ｄは、マイクロコンピューターからのハイレベルの制御信号が出力されたとき、励磁されているが、これに限るものではない。操作指示釦（不図示）などからの操作信号によって、リレーコイル３６Ｄの励磁が行われてもよい。
【００７９】
＝＝＝その他の実施の形態＝＝＝
以上、本発明に係る飲料供給装置について説明したが、上記の説明は、本発明の理解を容易とするためのものであり、本発明を限定するものではない。本発明は、その趣旨を逸脱することなく、変更、改良され得る。
【００８０】
＜＜バルブ用リレーコイルの形態＞＞
第３、第４、第５の実施形態において、リレーコイル３６Ｃは、励磁されたとき、２つのリレースイッチ３７Ｂ、３７Ｃを閉じるように設けられているが、これに限るものではない。励磁されたときリレースイッチ３７Ｂを閉じるリレーコイル、励磁されたときリレースイッチ３７Ｃを閉じるリレーコイルを別個に設けて、回路設計の自由度を高めてもよい。
【００８１】
＜＜タイマおよびカウンタの設置形態＞＞
本実施形態におけるタイマおよびカウンタにおいては、マイクロコンピューターに設けられているが、これに限るものではない。例えば、マイクロコンピューターにインターフェイスなどを介して接続してもよい。
【図面の簡単な説明】
【００８２】
【図１】本発明に係る飲料供給装置の第１の実施形態を示す図である。
【図２】本発明に係る飲料供給装置の第２の実施形態を示す図である。
【図３】本発明に係る飲料供給装置の第３の実施形態を示す図である。
【図４】第３の実施形態における飲料供給装置の動作を示すフローチャートである。
【図５】第３の実施形態における飲料供給装置の動作を示すタイミングチャートである。
【図６】本発明に係る飲料供給装置の第４の実施形態を示す図である。
【図７】第４の実施形態における飲料供給装置の動作を示すフローチャートである。
【図８】第４の実施形態における飲料供給装置の動作を示すタイミングチャートである。
【図９】本発明に係る飲料供給装置の第５の実施形態を示す図である。
【図１０】本発明にかかる飲料供給装置の第６の実施形態を示す図である。
【図１１】第６の実施形態における飲料供給装置の動作を示すフローチャートである。
【図１２】飲料供給装置が適用される飲料ディスペンサの配管系を示す図である。
【符号の説明】
【００８３】
１      ＣＰＵ                    ２      ＲＯＭ
３      ＲＡＭ                    ４      販売ボタン
５      タイマ                    ６      カウンタ
８      設定機                    ９      人体センサ
１１    水フィルタ                １２    水入口バルブ（バルブ）
１３    分配器                    １４    水槽
１５    コイルユニット            １６    水道給水バルブ
１７    加圧ポンプ                １８    マルチバルブ
１９    カーボネータ              ２０    ベリスタポンプ
２０    希釈水バルブ              ２１、２５、２７  流量調整弁
２２    冷水バルブ                ２３    カーボネータ給水バルブ
２４    炭酸ガスボンベ            ２６    炭酸水バルブ
２８    原料タンク                ２９    原料バルブ
３３    マイクロコンピューター    ３４    プッシュスイッチ
３５    ドライバ                  ３６    リレーコイル
３７    リレースイッチ            ３８    ダイオード
３９    抵抗
４０    バルブ                    ４１    ｎｐｎトランジスタ
４２    ｐｎｐトランジスタ        ４３    手動スイッチ
【図１】
2005293277.tif 000003
【図２】
2005293277.tif 000004
【図３】
2005293277.tif 000005
【図４】
2005293277.tif 000006
【図５】
2005293277.tif 000007
【図６】
2005293277.tif 000008
【図７】
2005293277.tif 000009
【図８】
2005293277.tif 000010
【図９】
2005293277.tif 000011
【図１０】
2005293277.tif 000012
【図１１】
2005293277.tif 000013
【図１２】
2005293277.tif 000014